(57)【要約】【課題】フォーカルプレンシャッタにおいて、羽根部材が摺動する際の静電気の発生を低減し、羽根部材に及ぼす負荷の低減を図る。【解決手段】露光用の開口部を有する地板１０、開口部を開閉するべく地板に移動自在に設けられると共に樹脂材料により形成された平板状の羽根部材３０，４０、羽根部材に隣接して配置されると共に樹脂材料により形成された平板状の隣接板（中間板５０、ガイド板６０）を備え、羽根部材は、互いに重なり合って開口部を開放しかつ展開して開口部を閉鎖する複数の羽根３１〜３４，４１〜４４を含むフォーカルプレンシャッタにおいて、隣接板（中間板５０、ガイド板６０）が、複数の羽根が相対的に移動する領域において複数の貫通孔５０ｅ，５０ｆ，６０ｃを有する。これによれば、静電気の発生等低減ないし抑制でき、羽根部材を円滑に移動させて所望のシャッタ動作を得ることができる。【選択図】図１
2015125370.tif 000002
【特許請求の範囲】
【請求項１】
露光用の開口部を有する地板と、前記開口部を開閉するべく前記地板に移動自在に設けられると共に樹脂材料により形成された平板状の羽根部材と、前記羽根部材に隣接して配置されると共に樹脂材料により形成された平板状の隣接板を備え、前記羽根部材は、互いに重なり合って前記開口部を開放しかつ展開して前記開口部を閉鎖する複数の羽根を含む、フォーカルプレンシャッタであって、
前記隣接板は、前記複数の羽根が相対的に移動する領域において、複数の貫通孔を有する、
ことを特徴とするフォーカルプレンシャッタ。
【請求項２】
前記羽根部材は、前記開口部を開閉する先羽根部材及び後羽根部材を含み、
前記先羽根部材及び後羽根部材は、それぞれ、互いに重なり合って前記開口部を開放しかつ展開して前記開口部を閉鎖する複数の羽根を含み、
前記隣接板は、前記地板と所定間隔をおいて配置されて前記先羽根部材の移動領域と前記後羽根部材の移動領域とに仕切ると共に前記地板の開口部に対向する開口部を有する中間板を含み、
前記中間板は、前記開口部から逸脱した領域でかつ前記先羽根部材及び後羽根部材の複数の羽根がそれぞれ重なり合う領域において、前記複数の貫通孔を有する、
ことを特徴とする請求項１に記載のフォーカルプレンシャッタ。
【請求項３】
前記羽根部材は、前記複数の羽根を連結する連結部を有する複数のアームを含み、
前記中間板は、前記複数のアームの連結部が移動する最外移動軌跡から外れた領域において、前記複数の貫通孔を有する、
ことを特徴とする請求項１又は２に記載のフォーカルプレンシャッタ。
【請求項４】
前記羽根部材は、前記開口部を開閉する先羽根部材及び後羽根部材を含み、
前記先羽根部材及び後羽根部材は、それぞれ、互いに重なり合って前記開口部を開放しかつ展開して前記開口部を閉鎖する複数の羽根を含み、
前記隣接板は、前記先羽根部材の複数の羽根の自由端側及び前記後羽根部材の複数の羽根の自由端側をそれぞれガイドするべく、前記先羽根部材及び後羽根部材の自由端側の領域に隣接して配置された二つのガイド板を含み、
前記二つのガイド板は、前記複数の羽根の自由端側の最外移動軌跡よりも内側の領域において、前記複数の貫通孔を有する、
ことを特徴とする請求項１ないし３いずれか一つに記載のフォーカルプレンシャッタ。
【請求項５】
前記隣接板は、表面において金属メッキ処理が施されている、
ことを特徴とする請求項１ないし４いずれか一つに記載のフォーカルプレンシャッタ。
【請求項６】
請求項１ないし５いずれか一つに記載のフォーカルプレンシャッタを備えた、
ことを特徴とするカメラ。
【発明の詳細な説明】
【技術分野】
【０００１】
本発明は、露光用の開口部を開閉する羽根部材を有するフォーカルプレンシャッタ及びカメラに関し、特に、デジタルカメラ等のカメラにおいて、露光用の開口部を開閉する羽根部材及び羽根部材に隣接する隣接板（仕切り板、中間板、ガイド板、押え板）等を樹脂材料により形成したフォーカルプレンシャッタ及びそれを用いたカメラに関する。
【背景技術】
【０００２】
従来のフォーカルプレンシャッタとしては、露光用の開口部を有すると共に合成樹脂材料により形成された略矩形の地板（基板）、地板と所定間隔をおいて配置されると共に合成樹脂材料により形成された中間板、中間板と所定間隔をおいて配置されると共に合成樹脂材料により形成された仕切板、仕切板と所定間隔をおいて配置されると共に合成樹脂材料により形成された裏板（背面板）、地板の開口部を開閉するべく仕切板と裏板の間に移動自在に配置されると共に合成樹脂材料により形成された羽根部材（先幕）、地板の開口部を開閉するべく中間板と仕切板の間に移動自在に配置されると共に合成樹脂材料により形成された羽根部材（後幕）、羽根部材を駆動する駆動部材（先幕レバー、後幕レバー）等を備えた、フォーカルプレンシャッタが知られている（例えば、特許文献１を参照）。
【０００３】
しなしながら、このフォーカルプレンシャッタにおいては、羽根部材（先幕、後幕）が樹脂材料により薄板状に形成され、羽根部材が隣接して摺動する中間板、仕切板、及び裏板等の隣接板が全て樹脂材料により薄板状に形成されているため、羽根部材が摺動することにより、静電気が発生し、中間板、仕切板、あるいは裏板等に帯電すると、この静電気により羽根部材を吸着して、羽根部材が起動する際の負荷が増大し、駆動力の小さいモータ等では羽根部材を駆動することが困難になる虞があり、又、帯電した静電気が粉塵、埃、摩耗粉等を吸着して羽根部材の移動に支障を来たす虞もある。
一方、静電気に打ち勝つ大きな駆動力を発生するモータを使用すると、装置の大型化、高コスト化を招き、小型化が要求されるデジタルカメラ等に搭載するのが困難になると共に、依然として帯電した静電気による粉塵、埃、摩耗粉等の吸着は解消されない。
【先行技術文献】
【特許文献】
【０００４】
【特許文献１】特開２０１２−２７３３２号公報
【発明の概要】
【発明が解決しようとする課題】
【０００５】
本発明は、上記の事情に鑑みて成されたものであり、その目的とするところは、部品の増加を招くことなく、構造の簡素化、軽量化、低コスト化、省スペース化等を図りつつ、静電気の発生を低減し、羽根部材に及ぼす負荷を低減し、又、静電気による粉塵、埃、摩耗粉等の吸着を低減し、羽根部材を円滑に作動させて所望のシャッタ動作（露光動作）を行うことのできるフォーカルプレンシャッタ及びカメラを提供することにある。
【課題を解決するための手段】
【０００６】
本発明のフォーカルプレンシャッタは、露光用の開口部を有する地板と、開口部を開閉するべく地板に移動自在に設けられると共に樹脂材料により形成された平板状の羽根部材と、羽根部材に隣接して配置されると共に樹脂材料により形成された平板状の隣接板を備え、羽根部材は、互いに重なり合って開口部を開放しかつ展開して開口部を閉鎖する複数の羽根を含む、フォーカルプレンシャッタであって、上記隣接板は、複数の羽根が相対的に移動する領域において複数の貫通孔を有する、ことを特徴としている。
この構成によれば、羽根部材に含まれる複数の羽根は、隣接板に沿って移動し展開して開口部を閉鎖する閉鎖位置に至り、又、隣接板に沿って移動し重なり合って開口部を開放するする開放位置に至る。
ここで、複数の羽根は隣接板に沿って摺動するものの、隣接板には複数の貫通孔が設けられているため、摺動（摩擦）による帯電する領域が減少し、静電気の発生が低減され、それ故に、静電気が羽根部材（複数の羽根）に及ぼす負荷が低減され、摺動面積の減少により摩擦抵抗が低減され、又、静電気による粉塵、埃、摩耗粉等の吸着が低減され、羽根部材は円滑に移動して、所望のシャッタ動作（露光動作）を行うことができる。
【０００７】
上記構成において、羽根部材は、開口部を開閉する先羽根部材及び後羽根部材を含み、先羽根部材及び後羽根部材は、それぞれ、互いに重なり合って開口部を開放しかつ展開して開口部を閉鎖する複数の羽根を含み、隣接板は、地板と所定間隔をおいて配置されて先羽根部材の移動領域と後羽根部材の移動領域とに仕切ると共に地板の開口部に対向する開口部を有する中間板を含み、中間板は、開口部から逸脱した領域でかつ先羽根部材及び後羽根部材の複数の羽根がそれぞれ重なり合う領域において複数の貫通孔を有する、構成を採用することができる。
この構成におれば、先羽根部材に含まれる複数の羽根は、中間板に沿って移動し展開して開口部を閉鎖する閉鎖位置に至り、又、中間板に沿って移動し重なり合って開口部を開放するする開放位置に至る。また、後羽根部材に含まれる複数の羽根は、中間板に沿って移動し展開して開口部を閉鎖する閉鎖位置に至り、又、中間板に沿って移動し重なり合って開口部を開放するする開放位置に至る。
ここで、先羽根部材及び後羽根部材の複数の羽根は、中間板の一方側の面及び他方側の面に沿ってそれぞれ摺動するものの、中間板には、先羽根部材及び後羽根部材の複数の羽根が重なり合う領域において複数の貫通孔が設けられているため、摺動（摩擦）による帯電する領域が減少し、静電気の発生が低減され、それ故に、先羽根部材及び後羽根部材が重なり合った状態から展開動作を行う際に静電気が及ぼす負荷が低減され、摺動面積の減少により摩擦抵抗が低減され、又、静電気による粉塵、埃、摩耗粉等の吸着が低減され、先羽根部材及び後羽根部材は円滑に移動して、所望のシャッタ動作（露光動作）を行うことができる。
【０００８】
上記構成において、羽根部材は、複数の羽根を連結する連結部を有する複数のアームを含み、中間板は、複数のアームの連結部が移動する最外移動軌跡から外れた領域において複数の貫通孔を有する、構成を採用することができる。
この構成によれば、複数の貫通孔が、複数の羽根を連結するアームの連結部が移動する最外移動軌跡から外れた領域に設けられているため、羽根部材（複数の羽根及び複数のアーム）が移動する際に、連結部は、貫通孔の内縁に引っ掛かることなく、円滑に移動することができる。
【０００９】
上記構成において、羽根部材は、開口部を開閉する先羽根部材及び後羽根部材を含み、先羽根部材及び後羽根部材は、それぞれ、互いに重なり合って開口部を開放しかつ展開して開口部を閉鎖する複数の羽根を含み、隣接板は、先羽根部材の複数の羽根の自由端側及び後羽根部材の複数の羽根の自由端側をそれぞれガイドするべく、先羽根部材及び後羽根部材の自由端側の領域に隣接して配置された二つのガイド板を含み、二つのガイド板は、複数の羽根の自由端側の最外移動軌跡よりも内側の領域において複数の貫通孔を有する、構成を採用することができる。
この構成によれば、先羽根部材に含まれる複数の羽根は、その自由端側の領域がガイド板に沿って移動し展開して開口部を閉鎖する閉鎖位置に至り、又、その自由端側の領域がガイド板に沿って移動し重なり合って開口部を開放するする開放位置に至る。また、後羽根部材に含まれる複数の羽根は、その自由端側の領域がガイド板に沿って移動し展開して開口部を閉鎖する閉鎖位置に至り、又、その自由端側の領域がガイド板に沿って移動し重なり合って開口部を開放するする開放位置に至る。
ここで、先羽根部材及び後羽根部材の複数の羽根は、それぞれに対応して配置されたガイド板に沿って摺動するものの、ガイド板には、先羽根部材及び後羽根部材の複数の羽根の自由端側の最外移動軌跡よりも内側の領域において複数の貫通孔が設けられているため、摺動（摩擦）による帯電する領域が減少し、静電気の発生が低減され、それ故に、先羽根部材及び後羽根部材が摺動する際に静電気が及ぼす負荷が低減され、摺動面積の減少により摩擦抵抗が低減され、又、静電気による粉塵、埃、摩耗粉等の吸着が低減され、先羽根部材及び後羽根部材は円滑に移動して、所望のシャッタ動作（露光動作）を行うことができる。特に、複数の羽根の自由端側の最外移動軌跡よりも内側の領域において複数の貫通孔が設けられているため、先羽根部材及び後羽根部材が移動する際に、複数の羽根の自由端縁部は、貫通孔の内縁に引っ掛かることなく、円滑に移動することができる。
【００１０】
上記構成において、隣接板は、表面において金属メッキ処理が施されている、構成を採用することができる。
この構成によれば、隣接板（中間板、ガイド板）の表面に金属メッキ処理が施されていることにより、羽根部材（先羽根部材、後羽根部材）が隣接板に沿って摺動しても、帯電が抑制ないし防止され、又、複数の貫通孔と協働して、より効果的な帯電防止作用が得られる。
【００１１】
本発明のカメラは、上記に記載のいずれかの構成をなすフォーカルプレンシャッタを備えた、ことを特徴としている。
この構成によれば、部品の増加を招くことなく、構造の簡素化、軽量化、低コスト化、省スペース化等を達成しつつ、静電気の発生を低減し、羽根部材に及ぼす負荷を低減し、又、静電気による粉塵、埃、摩耗粉等の吸着を低減し、羽根部材を円滑に作動させて所望のシャッタ動作（露光動作）を行うことのできるカメラを得ることができる。
【発明の効果】
【００１２】
上記構成をなすフォーカルプレンシャッタによれば、部品の増加を招くことなく、構造の簡素化、軽量化、低コスト化、省スペース化等を達成しつつ、静電気の発生を低減し、羽根部材に及ぼす負荷を低減し、又、静電気による粉塵、埃、摩耗粉等の吸着を低減し、羽根部材を円滑に作動させて所望のシャッタ動作（露光動作）を行うことができる。
【図面の簡単な説明】
【００１３】
【図１】本発明に係るフォーカルプレンシャッタの一実施形態を示すものであり、先羽根部材が展開して開口部を閉鎖し、後羽根部材が重なり合って開口部を開放した状態を示す平面図である。
【図２】本発明に係るフォーカルプレンシャッタの一実施形態を示すものであり、先羽根部材が重なり合って開口部を開放し、後羽根部材が展開して開口部を閉鎖した状態を示す平面図である。
【図３】図１及び図２に示すフォーカルプレンシャッタに含まれる隣接板（中間板）を示す平面図である。
【図４】図１及び図２に示すフォーカルプレンシャッタに含まれる隣接板（ガイド板）を示す平面図である。
【図５】図１及び図２に示すフォーカルプレンシャッタの内部構造を示すものであり、地板、中間板、裏板、二つのガイド板、先羽根部材、後羽根部材を示す部分断面図である。
【図６】図１及び図２に示すフォーカルプレンシャッタにおいて、先羽根部材及び後羽根部材に含まれるアームの連結部の最外移動軌跡と中間板に設ける複数の貫通孔との配置関係を示す平面図である。
【図７】図１及び図２に示すフォーカルプレンシャッタにおいて、先羽根部材及び後羽根部材の自由端側の最外移動軌跡とガイド板に設ける複数の貫通孔との配置関係を示す平面図である。
【図８】本発明にかかるフォーカルプレンシャッタに含まれる隣接板（中間板、ガイド板）の他の実施形態を示す部分断面図である。
【発明を実施するための形態】
【００１４】
以下、本発明の実施形態について、添付図面を参照しつつ説明する。
この実施形態に係るフォーカルプレンシャッタは、図１ないし図５に示すように、略矩形状の地板１０、地板１０と所定間隔をおいて配置された裏板２０、地板１０に対して移動自在に支持された羽根部材としての先羽根部材３０（４枚の羽根３１，３２，３３，３４及び２つのアーム３５，３６）、地板１０に対して移動自在に支持された羽根部材としての後羽根部材４０（４枚の羽根４１，４２，４３，４４及び２つのアーム４５，４６）、地板１０と裏板２０の間にそれぞれ所定間隔をおいて配置された隣接板としての中間板５０、先羽根部材３０及び後羽根部材４０の自由端側の領域にそれぞれ隣接して配置された隣接板としての二つのガイド板６０，６０、先羽根部材３０を駆動する先羽根駆動レバー（不図示）、後羽根部材４０を駆動する後羽根駆動レバー（不図示）、先羽根駆動レバー及び後羽根駆動レバーを露光動作前のセット位置にセットするセット部材（不図示）、セット位置にセットされた先羽根駆動レバー及び後羽根駆動レバーを吸着保持する電磁石（不図示）等を備えている。
【００１５】
地板１０は、樹脂材料を用いて略矩形の平板状に形成されており、図１及び図２、図５に示すように、露光用の開口部１０ａ、円弧状の長孔１０ｂ及び長孔１０ｃ、裏側に立設されて先羽根部材３０を回動自在に支持する支軸１０ｄ，１０ｅ、後羽根部材４０を回動自在に支持する支軸１０ｆ，１０ｇ、表側に立設されて先羽根駆動レバーを回動自在に支持する支軸（不図示）、表側に立設されて後羽根駆動レバーを回動自在に支持する支軸（不図示）、表側に立設されてセット部材（不図示）を回動自在に支持する支軸（不図示）等を備えている。
【００１６】
裏板２０は、図１及び図２、図５に示すように、樹脂材料を用いて略矩形の平板状に形成されており、開口部１０ａに対応する位置に形成された開口部２０ａ、長孔１０ｂに対応する長孔２０ｂ、長孔１０ｃに対応する長孔２０ｃ等を備えている。
そして、裏板２０は、地板１０の裏側において、所定間隔をおいて地板１０（の連結部）にネジ等により連結されている。
【００１７】
先羽根部材３０は、図１及び図２に示すように、例えば、ポリエチレンテレフタレート（ＰＥＴ）等の樹脂材料を用いて細長い平板状に形成された４枚の羽根３１，３２，３３，３４、羽根３１，３２，３３，３４を連結する２つのアーム３５，３６により構成されている。
アーム３５は、支軸１０ｄにより回動自在に支持されると共に４枚の羽根３１，３２，３３，３４をそれぞれ連結するカシメ等の４つの連結部３５ａを有し、又、その一部が先羽根駆動レバーの駆動ピンに連結されている。
アーム３６は、支軸１０ｅにより回動自在に支持されると共に４枚の羽根３１，３２，３３，３４をそれぞれ連結するカシメ等の４つの連結部３６ａを有する。
そして、アーム３５が、図１に示すように、先羽根駆動レバーにより上方に向けて（反時計回りに）駆動されることにより、４枚の羽根本体３１，３２，３３，３４が展開して開口部１０ａを閉鎖し、一方、図２に示すように、先羽根駆動レバーにより下方に向けて（時計回りに）駆動されることにより、４枚の羽根本体３１，３２，３３，３４が重なり合って開口部１０ａを開放するようになっている。
【００１８】
後羽根部材４０は、図１及び図２に示すように、例えば、ポリエチレンテレフタレート（ＰＥＴ）等の樹脂材料を用いて細長い平板状に形成された４枚の羽根４１，４２，４３，４４、羽根４１，４２，４３，４４を連結する２つのアーム４５，４６により構成されている。
アーム４５は、支軸１０ｆにより回動自在に支持されると共に４枚の羽根４１，４２，４３，４４をそれぞれ連結するカシメ等の４つの連結部４５ａを有し、又、その一部が後羽根駆動レバーの駆動ピンに連結されている。
アーム４６は、支軸１０ｇにより回動自在に支持されると共に４枚の羽根４１，４２，４３，４４をそれぞれ連結するカシメ等の４つの連結部４６ａを有する。
そして、アーム４５が、図１に示すように、後羽根駆動レバーにより上方に向けて（反時計回りに）駆動されることにより、４枚の羽根本体４１，４２，４３，４４が重なり合って開口部１０ａを開放し、一方、図２に示すように、後羽根駆動レバーにより下方に向けて（時計回りに）駆動されることにより、４枚の羽根本体４１，４２，４３，４４が展開して開口部１０ａを閉鎖するようになっている。
【００１９】
中間板５０は、図１ないし図３、図５、図６に示すように、例えば、ポリエチレンテレフタレート（ＰＥＴ）等の樹脂材料を用いて、略矩形の平板状に形成されており、地板１０の開口部１０ａに対応する位置に形成された開口部５０ａ、地板１０に取り付けるための３つの取付け孔５０ｂ、先羽根駆動レバー及び後羽根駆動レバーを逃げる逃げ部５０ｃ，５０ｄ、先羽根部材３０（の４枚の羽根３１，３２，３３，３４）が重なり合う領域に形成された複数の貫通孔５０ｅ、後羽根部材４０（の４枚の羽根４１，４２，４３，４４）が重なり合う領域に形成された複数の貫通孔５０ｆ等を備えている。
【００２０】
そして、中間板５０は、図５に示すように、地板１０と裏板２０の間に配置されて二つの羽根室を画定するように、すなわち、先羽根部材３０の移動領域（羽根室）と後羽根部材４０の移動領域（羽根室）とに仕切ると共に、先羽根部材３０を一方側の面に沿わせて摺動させ、後羽根部材４０を他方側の面に沿わせて摺動させるように形成されている。
ここで、複数の貫通孔５０ｅは、図６に示すように、開口部５０ａの下方で先羽根部材３０（の複数の羽根３１，３２，３３，３４）が重なり合う領域でかつ４のアーム３５，３６，４５，４６の連結部３５ａ，３６ａ，４５ａ，４６ａが移動する最外移動軌跡Ｒ１，Ｒ１から外れた領域に形成されている。
また、複数の貫通孔５０ｆは、図６に示すように、開口部５０ａの上方で後羽根部材４０（の複数の羽根４１，４２，４３，４４）が重なり合う領域でかつ４のアーム３５，３６，４５，４６の連結部３５ａ，３６ａ，４５ａ，４６ａが移動する最外移動軌跡Ｒ１，Ｒ１から外れた領域に形成されている。
尚、複数の貫通孔５０ｅ，５０ｆは、円形孔として形成されているが、この形状に限定されるものではなく、例えば、楕円孔、長尺孔、その他の形状を採用することができる。
【００２１】
このように、先羽根部材３０及び後羽根部材４０の複数の羽根３１，３２，３３，３４、４１，４２，４３，４４が重なり合う領域において複数の貫通孔５０ｅ，５０ｆが設けられているため、摺動（摩擦）による帯電する領域（面積）が減少し、静電気の発生が低減され、それ故に、先羽根部材３０及び後羽根部材４０が重なり合った状態から展開動作を行う際に静電気が及ぼす負荷が低減され、摺動面積の減少により摩擦抵抗が低減され、又、静電気による粉塵、埃、摩耗粉等の吸着が低減され、先羽根部材３０及び後羽根部材４０は円滑に移動して、所望のシャッタ動作（露光動作）を行うことができる。
また、複数の貫通孔５０ｅ、５０ｆが、４のアーム３５，３６，４５，４６の連結部３５ａ，３６ａ，４５ａ，４６ａが移動する最外移動軌跡Ｒ１，Ｒ１から外れた領域に形成されているため、先羽根部材３０及び後羽根部材４０（８枚の羽根３１，３２，３３，３４，４１，４２，４３，４４及び４つの複数のアーム３５，３６，４５，４６）が移動する際に、連結部３５ａ，３６ａ，４５ａ，４６ａは、貫通孔５０ｅ，５０ｆの内縁に引っ掛かることなく、円滑に移動することができる。
【００２２】
二つのガイド板６０，６０は、図１、図２、図４、図５、図７に示すように、例えば、ポリエチレンテレフタレート（ＰＥＴ）等の樹脂材料を用いて、略Ｌ字状の平板状に形成されており、地板１０の開口部１０ａを逃げるように形成された逃げ部６０ａ、地板１０及び裏板２０にそれぞれ取り付けるための３つの取付け孔６０ｂ、先羽根部材３０（の４枚の羽根３１，３２，３３，３４）の自由端側の最外移動軌跡Ｒ２及び後羽根部材４０（の４枚の羽根４１，４２，４３，４４）の自由端側の最外移動軌跡Ｒ２よりも内側の領域に形成された複数の貫通孔６０ｃ等を備えている。
そして、一方のガイド６０は、図５に示すように、裏板２０の内側に隣接しかつ先羽根部材３０の自由端側に隣接するように配置され、先羽根部材３０の４枚の羽根３１，３２，３３，３４の自由端側をガイドするようになっている。
また、他方のガイド板６０は、図５に示すように、地板１０の内側に隣接しかつ後羽根部材４０の自由端側の領域に隣接するように配置され、後羽根部材４０の４枚の羽根４１，４２，４３，４４の自由端側をガイドするようになっている。
【００２３】
このように、二つのガイド板６０，６０には、先羽根部材３０及び後羽根部材４０の複数の羽根３１，３２，３３，３４，４１，４２，４３，４４の自由端側の最外移動軌跡Ｒ２，Ｒ２よりも内側の領域において複数の貫通孔６０ｃが設けられているため、摺動（摩擦）による帯電する領域が減少し、静電気の発生が低減され、それ故に、先羽根部材３０及び後羽根部材４０が摺動する際に静電気が及ぼす負荷が低減され、摺動面積の減少により摩擦抵抗が低減され、又、静電気による粉塵、埃、摩耗粉等の吸着が低減され、先羽根部材３０及び後羽根部材４０は円滑に移動して、所望のシャッタ動作（露光動作）を行うことができる。
特に、複数の羽根３１，３２，３３，３４，４１，４２，４３，４４の自由端側の最外移動軌跡Ｒ２，Ｒ２よりも内側の領域において複数の貫通孔６０ｃが設けられているため、先羽根部材３０及び後羽根部材４０が移動する際に、複数の羽根３１，３２，３３，３４，４１，４２，４３，４４の自由端縁部は、貫通孔６０ｃの内縁に引っ掛かることなく、円滑に移動することができる。
【００２４】
次に、このフォーカルプレンシャッタにおける先羽根部材３０及び後羽根部材４０の開閉動作について、図１及び図２を参照しつつ簡単に説明すると、先ず、露光動作完了後（シャッタ動作完了後）の休止状態においては、図２に示すように、先羽根部材３０は、４枚の羽根４１，４２，４３，４４が重なり合って開口部１０ａを開放した位置に位置し、又、後羽根部材４０は、４枚の羽根４１，４２，４３，４４が展開して開口部１０ａを閉鎖した位置に位置している。
ここで、シャッタ動作（セット動作）の準備指令が発せられると、セット部材の起動により、先羽根駆動レバー及び後羽根駆動レバーが一方向に回転し、図１に示すように、先羽根部材３０（４枚の羽根３１，３２，３３，３４）が上方に向けて移動して展開し開口部１０ａを閉鎖し、後羽根部材４０（４枚の羽根４１，４２，４３，４４）が上方に向けて移動し重なり合って開口部１０ａを開放する。
【００２５】
そして、レリーズ信号等に基づいて、先羽根駆動レバー及び後羽根駆動レバーが電磁石により吸着保持されると共にセット部材が休止位置に戻ると、所望のタイミングでそれぞれの電磁石の吸着が解除され、先ず、先羽根駆動レバーが他方向に回転し、所定期間をおいて後羽根駆動レバーが他方向に回転し、図２に示すように、先羽根部材３０（４枚の羽根３１，３２，３３，３４）が上方から下方に向けて移動して重なり合って開口部１０ａを開放し、後羽根部材４０（４枚の羽根４１，４２，４３，４４）が上方から下方に向けて移動し展開して開口部１０ａを閉鎖する。
これにより、先羽根部材３０及び後羽根部材４０による露光動作（シャッタ動作）が完了する。
【００２６】
この移動過程において、先羽根部材３０及び後羽根部材４０は、中間板５０及びガイド板６０，６０に沿うように摺動して往復動するものの、中間板５０には、先羽根部材３０及び後羽根部材４０の複数の羽根３１，３２，３３，３４，４１，４２，４３，４４が重なり合う領域において複数の貫通孔５０ｅ，５０ｆが設けられているため、摺動（摩擦）による帯電する領域が減少し、静電気の発生が低減され、それ故に、先羽根部材３０及び後羽根部材４０が重なり合った状態から展開動作を行う際に静電気が及ぼす負荷が低減され、摺動面積の減少により摩擦抵抗が低減され、又、静電気による粉塵、埃、摩耗粉等の吸着が低減され、先羽根部材３０及び後羽根部材４０は円滑に移動して、所望のシャッタ動作（露光動作）を行うことができる。
【００２７】
また、ガイド板６０，６０には、先羽根部材３０及び後羽根部材４０の複数の羽根３１，３２，３３，３４，４１，４２，４３，４４の自由端側の最外移動軌跡Ｒ２，Ｒ２よりも内側の領域において複数の貫通孔６０ｃが設けられているため、摺動（摩擦）による帯電する領域が減少し、静電気の発生が低減され、それ故に、先羽根部材３０及び後羽根部材４０が摺動する際に静電気が及ぼす負荷が低減され、摺動面積の減少により摩擦抵抗が低減され、又、静電気による粉塵、埃、摩耗粉等の吸着が低減され、先羽根部材３０及び後羽根部材４０は円滑に移動して、所望のシャッタ動作（露光動作）を行うことができる。特に、複数の羽根３１，３２，３３，３４，４１，４２，４３，４４の自由端側の最外移動軌跡Ｒ２，Ｒ２よりも内側の領域において複数の貫通孔６０ｃが設けられているため、先羽根部材３０及び後羽根部材４０が移動する際に、複数の羽根３１，３２，３３，３４，４１，４２，４３，４４の自由端縁部は、貫通孔６０ｃの内縁に引っ掛かることなく、円滑に移動することができる。
【００２８】
上記構成をなすフォーカルプレンシャッタによれば、部品の増加を招くことなく、構造の簡素化、軽量化、低コスト化、省スペース化等を達成しつつ、静電気の発生を低減し、羽根部材（先羽根部材３０、後羽根部材４０）に及ぼす負荷を低減し、又、静電気による粉塵、埃、摩耗粉等の吸着を低減し、羽根部材（先羽根部材３０、後羽根部材４０）を円滑に作動させて所望のシャッタ動作（露光動作）を行うことができる。
【００２９】
図８は、本発明に係るフォーカルプレンシャッタの他の実施形態を示すものであり、前述の中間板５０及びガイド板６０において、それぞれの表面に金属メッキ処理を施した状態を示す部分断面図である。
この実施形態における中間板５０´及びガイド板６０´は、前述の中間板５０及びガイド板６０に対して、その表面の全域において金属メッキ５０ｍ，６０ｍの処理が施されている。
金属メッキとしては、電解Ｎｉメッキ、あるいは、無電解Ｎｉメッキ等を採用することができる。
これによれば、中間板５０´及びガイド板６０´の表面に金属メッキ５０ｍ，６０ｍの処理が施されていることにより、羽根部材（先羽根部材３０、後羽根部材４０）が中間板５０´及びガイド板６０´に沿って摺動しても、帯電が抑制ないし防止され、複数の貫通孔５０ｅ，５０ｆ，６０ｃと協働して、より効果的な帯電防止作用が得られる。
【００３０】
上記実施形態においては、羽根部材として、先羽根部材３０及び後羽根部材４０を備えた構成において、本発明を採用した、すなわち二つの羽根部材を採用した場合を示したが、これに限定されるものではなく、例えば、一つの羽根部材を備え、単に開口部を開放した状態から閉鎖した状態に移動することでシャッタ動作を行う構成において本発明を採用することもできる。
上記実施形態においては、隣接板として、中間板５０及びガイド板６０を備えた構成において、本発明を採用した場合を示したが、これに限定されるものではなく、中間板５０のみを備えた構成、ガイド板６０のみを備えた構成、あるいは、隣接板としてその他の形態をなす仕切板等を備えた構成において、本発明を採用してもよい。
【産業上の利用可能性】
【００３１】
以上述べたように、本発明のフォーカルプレンシャッタは、部品の増加を招くことなく、構造の簡素化、軽量化、低コスト化、省スペース化等を達成しつつ、静電気の発生を低減し、羽根部材に及ぼす負荷を低減し、又、静電気による粉塵、埃、摩耗粉等の吸着を低減し、羽根部材を円滑に作動させて所望のシャッタ動作（露光動作）を行うことができるため、デジタルカメラ等の小型のカメラ等に適用できるのは勿論のこと、その他の露光用の開口部を備えた光学機器に対しても有用である。
【符号の説明】
【００３２】
１０  地板
１０ａ  開口部
２０  裏板
３０  先羽根部材（羽根部材）
３１，３２，３３，３４  羽根
３５，３６  アーム
３５ａ，３６ａ  連結部
４０  後羽根部材（羽根部材）
４１，４２，４３，４４  羽根
４５，４６  アーム
４５ａ，４６ａ  連結部
５０，５０´  中間板（隣接板）
５０ａ  開口部
５０ｅ，５０ｆ  複数の貫通孔
５０ｍ  金属メッキ
６０，６０´  ガイド板（隣接板）
６０ｃ  複数の貫通孔
６０ｍ  金属メッキ
Ｒ１，Ｒ２  最外移動軌跡
【図１】
2015125370.tif 000003
【図２】
2015125370.tif 000004
【図３】
2015125370.tif 000005
【図４】
2015125370.tif 000006
【図５】
2015125370.tif 000007
【図６】
2015125370.tif 000008
【図７】
2015125370.tif 000009
【図８】
2015125370.tif 000010